【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
前記一般用記録媒体を受付けている場合に、前記統合操作に応じて、該受付け中の一般用記録媒体から特定される管理遊技媒体数を統合遊技媒体数として特定するとともに、該一般用記録媒体を前記回収手段にて回収して前記挿入口から新たな記録媒体の挿入を可能とすることによって前記会員用記録媒体を受付け、該受付けた会員用記録媒体の記録媒体識別情報に対応して管理されている管理遊技媒体数に、前記統合遊技媒体数を加算更新して統合するための統合処理を行う統合処理手段と、
前記統合処理を行う場合に所定報知を行う報知手段と、
前記統合操作受付け手段にて統合操作を受付けてから所定の無効条件が成立するまでに、前記会員用記録媒体を受付けたか否かを判定する判定手段と、
を備え、
前記統合処理手段は、前記判定手段により所定の無効条件が成立するまでに前記会員用記録媒体を受付けていないと判断された場合に、統合操作を無効として前記会員用記録媒体の受付け待機状態を解除するとともに、回収した一般用記録媒体を使用可能な受付け状態に移行するための処理を実施することを特徴とする遊技用システム。
【請求項２】
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
前記会員用記録媒体を受付けている場合に、前記統合操作に応じて、該受付け中の会員用記録媒体を待避させて、前記挿入口からの新たな記録媒体の挿入を可能とすることによって前記一般用記録媒体を受付け、該一般用記録媒体の記録媒体識別情報から特定される管理遊技媒体数を、前記待避した会員用記録媒体の記録媒体識別情報に対応して前記管理装置に管理されている管理遊技媒体数に加算更新して統合するための統合処理を行うとともに、該一般用記録媒体を前記回収手段により回収させる統合処理手段と、
前記統合処理を行う場合に所定報知を行う報知手段と、
前記統合操作受付け手段にて統合操作を受付けてから所定の無効条件が成立するまでに、前記一般用記録媒体を受付けたか否かを判定する判定手段と、
を備え、
前記統合処理手段は、前記判定手段により所定の無効条件が成立するまでに前記一般用記録媒体を受付けていないと判断された場合に、統合操作を無効として前記一般用記録媒体の受付け待機状態を解除するとともに、待避した会員用記録媒体を使用可能な受付け状態に移行するための処理を実施することを特徴とする遊技用システム。
【請求項３】
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
いずれの記録媒体も受付けていない状態で前記統合操作を受付けた後、前記一般用記録媒体を受付けた場合に、該一般用記録媒体の記録媒体識別情報から特定される管理遊技媒体数を統合遊技媒体数として特定するとともに、該一般用記録媒体を前記回収手段にて回収して前記挿入口から新たな記録媒体の挿入を可能とすることによって前記会員用記録媒体を受付け、該受付けた会員用記録媒体の記録媒体識別情報に対応して管理されている管理遊技媒体数に、前記統合遊技媒体数を加算更新して統合するための統合処理を行う統合処理手段と、
前記統合処理を行う場合に所定報知を行う報知手段と、
前記統合操作受付け手段にて統合操作を受付けてから所定の無効条件が成立するまでに、前記会員用記録媒体を受付けたか否かを判定する判定手段と、
を備え、
前記統合処理手段は、前記判定手段により所定の無効条件が成立するまでに前記会員用記録媒体を受付けていないと判断された場合に、統合操作を無効として前記会員用記録媒体の受付け待機状態を解除するとともに、回収した一般用記録媒体を使用可能な受付け状態に移行するための処理を実施することを特徴とする遊技用システム。
【手続補正２】
【補正対象書類名】明細書
【補正対象項目名】０００６
【補正方法】変更
【補正の内容】
【０００６】
前記課題を解決するために、本発明の請求項１に記載の遊技用システムは、
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
前記一般用記録媒体を受付けている場合に、前記統合操作に応じて、該受付け中の一般用記録媒体から特定される管理遊技媒体数を統合遊技媒体数として特定するとともに、該一般用記録媒体を前記回収手段にて回収して前記挿入口から新たな記録媒体の挿入を可能とすることによって前記会員用記録媒体を受付け、該受付けた会員用記録媒体の記録媒体識別情報に対応して管理されている管理遊技媒体数に、前記統合遊技媒体数を加算更新して統合するための統合処理を行う統合処理手段と、
前記統合処理を行う場合に所定報知を行う報知手段と、
前記統合操作受付け手段にて統合操作を受付けてから所定の無効条件が成立するまでに、前記会員用記録媒体を受付けたか否かを判定する判定手段と、
を備え、
前記統合処理手段は、前記判定手段により所定の無効条件が成立するまでに前記会員用記録媒体を受付けていないと判断された場合に、統合操作を無効として前記会員用記録媒体の受付け待機状態を解除するとともに、回収した一般用記録媒体を使用可能な受付け状態に移行するための処理を実施することを特徴とする。
この特徴によれば、遊技機に対応して設けられ、単一の挿入口にて一般用記録媒体や会員用記録媒体を受付ける遊技用装置において、一般用記録媒体の計数遊技媒体数を、会員用記録媒体の計数遊技媒体数に統合することができるので、遊技者は、いちいち、統合のために、景品カウンタ等に出向く必要がなく、これら統合に伴う遊技者の手間や遊技機の稼働低下を削減することができる。
本発明の請求項２に記載の遊技用システムは、
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
前記会員用記録媒体を受付けている場合に、前記統合操作に応じて、該受付け中の会員用記録媒体を待避させて、前記挿入口からの新たな記録媒体の挿入を可能とすることによって前記一般用記録媒体を受付け、該一般用記録媒体の記録媒体識別情報から特定される管理遊技媒体数を、前記待避した会員用記録媒体の記録媒体識別情報に対応して前記管理装置に管理されている管理遊技媒体数に加算更新して統合するための統合処理を行うとともに、該一般用記録媒体を前記回収手段により回収させる統合処理手段と、
前記統合処理を行う場合に所定報知を行う報知手段と、
前記統合操作受付け手段にて統合操作を受付けてから所定の無効条件が成立するまでに、前記一般用記録媒体を受付けたか否かを判定する判定手段と、
を備え、
前記統合処理手段は、前記判定手段により所定の無効条件が成立するまでに前記一般用記録媒体を受付けていないと判断された場合に、統合操作を無効として前記一般用記録媒体の受付け待機状態を解除するとともに、待避した会員用記録媒体を使用可能な受付け状態に移行するための処理を実施することを特徴とする。
この特徴によれば、遊技機に対応して設けられ、単一の挿入口にて一般用記録媒体や会員用記録媒体を受付ける遊技用装置において、一般用記録媒体の計数遊技媒体数を、会員用記録媒体の計数遊技媒体数に統合することができるので、遊技者は、いちいち、統合のために、景品カウンタ等に出向く必要がなく、これら統合に伴う遊技者の手間や遊技機の稼働低下を削減することができる。
本発明の請求項３に記載の遊技用システムは、
遊技用装置と、
該遊技用装置と通信可能に接続され、遊技者に対して発行された一般用記録媒体並びに会員登録した会員遊技者に対して発行された会員用記録媒体の記録媒体識別情報に対応付けて遊技媒体の数を管理遊技媒体数として管理する管理装置と、
から成る遊技用システムであって、
前記遊技用装置は、
遊技機に対応して設けられ、遊技にて獲得された遊技媒体を計数する計数手段と、
前記一般用記録媒体若しくは前記会員用記録媒体を単一の挿入口にて受付けて、該受付けた前記一般用記録媒体若しくは前記会員用記録媒体に記録されている記録媒体識別情報を読み出す記録媒体処理手段と、
前記挿入口に受付けられた前記一般用記録媒体若しくは前記会員用記録媒体の記録媒体識別情報から特定される管理遊技媒体数、および前記計数手段にて計数された計数遊技媒体数の少なくとも一方から成る、遊技者の使用可能遊技媒体数の範囲内で遊技媒体を前記遊技機の遊技に使用するための使用処理を行う使用処理手段と、
前記一般用記録媒体若しくは前記会員用記録媒体を受付けていない場合に、返却操作に応じて、前記計数手段が計数した計数遊技媒体数を、新たに発行する一般用記録媒体の記録媒体識別情報に対応付けて管理する管理遊技媒体数として特定可能とするための特定可能化処理を行うとともに、該特定可能化処理に供した一般用記録媒体を発行する記録媒体発行処理手段と、
前記一般用記録媒体若しくは前記会員用記録媒体を受付けている場合に、返却操作に応じて、前記使用可能遊技媒体数を、受付け中の前記一般用記録媒体若しくは前記会員用記録媒体の記録媒体識別情報に対応付けて管理する管理遊技媒体数として特定可能とするための特定可能化処理を行うとともに、該特定可能化処理に供した一般用記録媒体若しくは会員用記録媒体を返却する記録媒体返却処理手段と、
前記挿入口に受付け中の一般用記録媒体を回収する回収手段と、
統合操作を受付けるための統合操作受付け手段と、
いずれの記録媒体も受付けていない状態で前記統合操作を受付けた後、前記一般用記録媒体を受付けた場合に、該一般用記録媒体の記録媒体識別情報から特定される管理遊技媒体数を統合遊技媒体数として特定するとともに、該一般用記録媒体を前記回収手段にて回収して前記挿入口から新たな記録媒体の挿入を可能とすることによって前記会員用記録媒体を受付け、該受付けた会員用記録媒体の記録媒体識別情報に対応して管理されている管理遊技媒体数に、前記統合遊技媒体数を加算更新して統合するための統合処理を行う統合処理手段と、
前記統合処理を行う場合に所定報知を行う報知手段と、
前記統合操作受付け手段にて統合操作を受付けてから所定の無効条件が成立するまでに、前記会員用記録媒体を受付けたか否かを判定する判定手段と、
を備え、
前記統合処理手段は、前記判定手段により所定の無効条件が成立するまでに前記会員用記録媒体を受付けていないと判断された場合に、統合操作を無効として前記会員用記録媒体の受付け待機状態を解除するとともに、回収した一般用記録媒体を使用可能な受付け状態に移行するための処理を実施することを特徴とする。
この特徴によれば、遊技機に対応して設けられ、単一の挿入口にて一般用記録媒体や会員用記録媒体を受付ける遊技用装置において、一般用記録媒体の計数遊技媒体数を、会員用記録媒体の計数遊技媒体数に統合することができるので、遊技者は、いちいち、統合のために、景品カウンタ等に出向く必要がなく、これら統合に伴う遊技者の手間や遊技機の稼働低下を削減することができる。
本発明の手段１に記載の遊技用システムは、
遊技機（パチンコ機２）に対応して設けられ、遊技にて獲得された遊技媒体（パチンコ玉）を計数する計数手段（計数・端数払出ユニット３４０）と、遊技者に対して発行された一般用記録媒体（ビジターカード）若しくは会員登録した会員遊技者に対して発行された会員用記録媒体（会員カード）を単一の挿入口（カード挿入口３０９）にて受付けて、該受付けた一般用記録媒体若しくは会員用記録媒体に記録されている記録情報（（会員）カードＩＤ、会員ＩＤ、持玉数データ、プリペイド残額データ等）を読み出す記録媒体処理手段（カードリーダライタ３２７）と、前記挿入口に受付け中の前記一般用記録媒体若しくは前記会員用記録媒体の記録情報から特定される獲得遊技媒体数（カードの持玉数）、および前記計数手段にて計数された計数遊技媒体数（計数した持玉数）から成る、遊技者の総所有遊技媒体数（持玉数）の範囲内で遊技媒体を前記遊技機の遊技に使用するための使用処理を行う使用処理手段（制御ユニット３２８；払出処理）と、前記一般用記録媒体若しくは前記会員用記録媒体を受付けていないことを条件に、遊技者による所定操作（返却ボタンの操作）に応じて、前記計数手段が計数した計数遊技媒体数（計数玉数に基づく持玉数）を、新たに発行する一般用記録媒体の記録情報（カードＩＤ、持玉数データ）により獲得遊技媒体数（持玉数）として特定可能とするための特定可能化処理（返却処理）を行うとともに、該特定可能化処理に供した一般用記録媒体を発行する記録媒体発行処理手段（制御ユニット３２８；返却処理または計数情報処理、カードリーダライタ３２７）と、前記一般用記録媒体若しくは前記会員用記録媒体を受付けていることを条件に、遊技者による所定操作（返却ボタンの操作）に応じて、前記総所有遊技媒体数を、受付け中の前記一般用記録媒体若しくは前記会員用記録媒体の記録情報（（会員）カードＩＤ、持玉数データ）により獲得遊技媒体数として特定可能とするための特定可能化処理（返却処理）を行うとともに、該特定可能化処理に供した一般用記録媒体若しくは会員用記録媒体を返却する記録媒体返却処理手段（制御ユニット３２８；返却処理、カードリーダライタ３２７）と、前記挿入口に受付け中の一般用記録媒体を回収する回収手段（カードリーダライタ３２７；搬送ベルト３９１、カード貯留部３７０）と、
前記遊技用装置と通信可能に接続され、前記各一般用記録媒体並びに前記各会員用記録媒体の記録情報（（会員）カードＩＤ）に対応付けて獲得遊技媒体数（持玉数）を管理する管理装置と、
から成る遊技用システムであって、
前記遊技用装置に設けられ、遊技者から統合操作を受付けるための統合操作受付け手段（統合ボタン３１０）と、
前記挿入口に前記一般用記録媒体を受付けているときに前記統合操作受付け手段にて統合操作を受付けたことを条件（Ｓｂ１０でＹｅｓ）に、少なくとも該受付け中の一般用記録媒体から特定される獲得遊技媒体数（カードテーブルに記憶されている各レートの持玉数；カードの持玉数と計数した持玉数の合計玉数）を統合遊技媒体数として特定するとともに、該一般用記録媒体を前記回収手段にて回収して前記挿入口から新たな記録媒体の挿入を可能とすることによって前記会員用記録媒体を受付け、該受付けた会員用記録媒体の記録情報（会員カードＩＤ）に対応して前記管理装置に管理されている獲得遊技媒体数（持玉数）に、前記統合遊技媒体数を加算更新して統合するための統合処理（第１統合処理）を行う統合処理手段（制御ユニット３２８、ＣＰＵ１５２）と、
を備えることを特徴としている。
この特徴によれば、遊技機に対応して設けられ、単一の挿入口にて一般用記録媒体や会員用記録媒体を受付ける遊技用装置において、一般用記録媒体の計数遊技媒体数を、会員用記録媒体の計数遊技媒体数に統合することができるので、遊技者は、いちいち、統合のために、景品カウンタ等に出向く必要がなく、これら統合に伴う遊技者の手間や遊技機の稼働低下を削減することができる。